(57)【特許請求の範囲】
【請求項１】
洗い場が設けられた浴室において、前記洗い場の側方に設置された浴槽本体と、前記浴槽本体の洗い場側前面を掩蔽するエプロン部材と、を有する浴槽と、
前記洗い場の前方の壁面又は前記洗い場の前方の壁面に設置されたカウンターに設置された水栓装置と、
カウンター部材又はシャワーヘッド保持部材である浴室用機能部材と、を備え、
前記浴室用機能部材は、前記浴槽に対して着脱自在に保持されており、
前記エプロン部材及び前記浴室用機能部材のいずれか一方には凹状嵌合部が形成され、いずれか他方には凸状嵌合部が形成されており、
前記凹状嵌合部と前記凸状嵌合部とを嵌合させることで、前記浴室用機能部材は前記エプロン部材に対して着脱自在に保持され、
前記エプロン部材に形成された前記凹状嵌合部又は前記凸状嵌合部は、前記エプロン部材の長手方向において連続して形成されており、
前記凹状嵌合部又は前記凸状嵌合部が形成された前記エプロン部材は、前記カウンターの前端よりも前記洗い場の後方に配置されており、
前記浴室用機能部材は、前記カウンターの前端より前記洗い場の後方において、前後方向に移動可能となるように前記エプロン部材に取り付けられることを特徴とする浴室設備。
【請求項２】
洗い場が設けられた浴室において、前記洗い場の側方に設置された浴槽本体と、前記浴槽本体の洗い場側前面を掩蔽するエプロン部材と、を有する浴槽と、
前記洗い場の前方の壁面又は前記洗い場の前方の壁面に設置されたカウンターに設置された水栓装置と、
カウンター部材又はシャワーヘッド保持部材である浴室用機能部材と、を備え、
前記浴室用機能部材は、前記浴槽に対して着脱自在に保持されており、
前記エプロン部材及び前記浴室用機能部材のいずれか一方には凹状嵌合部が形成され、いずれか他方には凸状嵌合部が形成されており、
前記凹状嵌合部と前記凸状嵌合部とを嵌合させることで、前記浴室用機能部材は前記エプロン部材に対して着脱自在に保持され、
前記エプロン部材に形成された前記凹状嵌合部又は前記凸状嵌合部は、前記エプロン部材の長手方向において連続して形成されており、
前記浴室用機能部材が前記エプロン部材に取り付けられた状態において、前記浴槽本体のリムに面する前記浴室用機能部材の側面と前記浴槽本体のリムの側面との間には、空隙が形成されていることを特徴とする浴室設備。
【請求項３】
前記エプロン部材は、前記浴槽本体と別体で形成されており、
前記エプロン部材は、前記浴槽本体のリムの側面よりも、前記洗い場側へ突出していることを特徴とする請求項２に記載の浴室設備。
【請求項４】
前記凸状嵌合部及び前記凹状嵌合部のいずれか一方には、前記凹状嵌合部と前記凸状嵌合部とを嵌合させた状態において前記凸状嵌合部と前記凹状嵌合部の内壁との間に配置され、前記凸状嵌合部の表面及び前記凹状嵌合部の内壁の表面より大きな摩擦抵抗を有する介在部材が設けられており、
前記凹状嵌合部と前記凸状嵌合部とを嵌合させた状態において、前記浴室用機能部材の荷重が掛かると、前記凸状嵌合部と前記凹状嵌合部の内壁とが前記介在部材を介して当接し前記介在部材が前記凸状嵌合部及び前記凹状嵌合部の内壁に当接することによって、前記浴室用機能部材に外力が加わった際にも前記浴室用機能部材が前記エプロン部材に対して前記エプロン部材の長手方向への移動を阻害されるように保持され、
前記浴室用機能部材の荷重を取り除くと、前記凸状嵌合部又は前記凹状嵌合部の内壁と前記介在部材との当接状態が解除されることによって、前記浴室用機能部材の前記エプロン部材に対して前記エプロン部材の長手方向への移動を阻害された状態が解除されることを特徴とする請求項１〜３のいずれか１つに記載の浴室設備。
【発明の詳細な説明】
【技術分野】
【０００１】
本発明の態様は、浴室に設置された浴室設備に関する。
【背景技術】
【０００２】
従来、浴室に設置されたカウンターや、浴室に設置された水栓装置に設けられたシャワーヘッドを保持するシャワーヘッド保持部材など、の浴室用機能部材を備えた浴室ユニットが知られている。
【０００３】
特許文献１には、浴室において、水栓装置が設置されたカウンターに、カウンター部材やシャワーヘッド保持部材である浴室用機能部材が保持されている浴室設備について記載されている。
【先行技術文献】
【特許文献】
【０００４】
【特許文献１】特開２０１１−１８３１１９号公報
【発明の概要】
【発明が解決しようとする課題】
【０００５】
特許文献１に記載された浴室設備においては、浴室用機能部材は水栓装置が設置されたカウンターに固定されている。一方、洗い場に設置された風呂椅子に座った入浴者は、水栓装置の操作をしやすくするため、水栓装置が設置されたカウンターを正面にみて風呂椅子に座ることが通常である。しかしながら、親子での入浴時において、親が子供の洗体行為を行う際には、親は子供を正面に見ながら洗体行為を行う必要があり、その際には、親とカウンターとの間に子供を配置させることとなる。親とカウンターとの間に子供を配置させると、親とカウンターとの距離が離れてしまい、親の正面にある浴室用機能部材の使い勝手が悪いという問題がある。
【０００６】
本発明は、かかる課題の認識に基づいてなされたものであり、親子での入浴時において、親が子供の洗体行為を行う際にも、浴室用機能部材の使い勝手が良い浴室設備を提供することを目的とする。
【課題を解決するための手段】
【０００７】
第１の発明は、洗い場が設けられた浴室において、前記洗い場の側方に設置された浴槽本体と、前記浴槽本体の洗い場側前面を掩蔽するエプロン部材と、を有する浴槽と、前記洗い場の前方の壁面又は前記洗い場の前方の壁面に設置されたカウンターに設置された水栓装置と、カウンター部材又はシャワーヘッド保持部材である浴室用機能部材と、を備え、前記浴室用機能部材は、前記浴槽に対して着脱自在に保持されており、前記エプロン部材及び前記浴室用機能部材のいずれか一方には凹状嵌合部が形成され、いずれか他方には凸状嵌合部が形成されており、前記凹状嵌合部と前記凸状嵌合部とを嵌合させることで、前記浴室用機能部材は前記エプロン部材に対して着脱自在に保持され、前記エプロン部材に形成された前記凹状嵌合部又は前記凸状嵌合部は、前記エプロン部材の長手方向において連続して形成されており、前記凹状嵌合部又は前記凸状嵌合部が形成された前記エプロン部材は、前記カウンターの前端よりも前記洗い場の後方に配置されており、前記浴室用機能部材は、前記カウンターの前端より前記洗い場の後方において、前後方向に移動可能となるように前記エプロン部材に取り付けられることを特徴とする浴室設備である。
この浴室設備によれば、浴室用機能部材は、浴槽に保持されている。このことより、親子での入浴時において親とカウンターとの間に子供を配置させた際にも、親は、洗い場の側方に設置された浴槽、即ち、カウンターを正面にみた状態における左方向もしくは右方向にある浴槽、に保持された浴室用機能部材を利用して、子供の洗体行為を容易に行うことができる。即ち、浴槽に保持された浴室用機能部材であるシャワーヘッド保持部材に保持されるシャワーヘッドや、浴槽に保持された浴室用機能部材であるカウンター部材に載置されるせっけんや洗体用洗剤など、を利用して、子供の洗体行為を容易に行うことができる。したがって、親子での入浴時において、親が子供の洗体行為を行う際にも、浴室用機能部材の使い勝手が良い。
この浴室設備によれば、浴室用機能部材は、浴槽に対して着脱自在に保持される。このことより、使用者は浴室用機能部材を自由に着脱できるため、例えば親が単独で入浴する際など、浴室用機能部材を浴槽に保持する必要がない場合には、浴室用機能部材をエプロン部材から取り外すことで、浴槽への入浴する際に浴室用機能部材が浴槽へのアプローチを妨げることを防ぎ、その結果、浴槽への入浴のアプローチを容易にすることができる。言い換えると、使用者は、入浴シーンに合わせて、自由に、且つ、容易に浴室用機能部材を着脱できるため、使い勝手の良い浴室設備を使用することができる。
この浴室設備によれば、エプロン部材に形成された凹状嵌合部又は凸状嵌合部は、エプロン部材の長手方向において連続して形成されている。このことより、浴室用機能部材に形成された凸状嵌合部又は凹状嵌合部は、エプロン部材の長手方向において連続して形成された凹状嵌合部又は凸状嵌合部に、着脱自在に保持されるため、使用者は、凹状嵌合部及び凸状嵌合部の嵌合状態を解除し、浴室用機能部材をエプロン部材の長手方向に移動させ、再び凹状嵌合部及び凸状嵌合部を嵌合させることで、浴室用機能部材を使いやすい位置に自由に保持することができる。したがって、使用者は、さらに使い勝手の良い浴室設備を使用することができる。
また、このことより、浴室用機能部材は、エプロン部材に対して着脱自在に保持されることとなるため、通常のエプロン部材を凹状嵌合部又は凸状嵌合部が形成されたエプロン部材に取り替えるだけで、浴室用機能部材を使い勝手の良い浴槽に保持させることができる。
【０００８】
第２の発明は、洗い場が設けられた浴室において、前記洗い場の側方に設置された浴槽本体と、前記浴槽本体の洗い場側前面を掩蔽するエプロン部材と、を有する浴槽と、前記洗い場の前方の壁面又は前記洗い場の前方の壁面に設置されたカウンターに設置された水栓装置と、カウンター部材又はシャワーヘッド保持部材である浴室用機能部材と、を備え、前記浴室用機能部材は、前記浴槽に対して着脱自在に保持されており、前記エプロン部材及び前記浴室用機能部材のいずれか一方には凹状嵌合部が形成され、いずれか他方には凸状嵌合部が形成されており、前記凹状嵌合部と前記凸状嵌合部とを嵌合させることで、前記浴室用機能部材は前記エプロン部材に対して着脱自在に保持され、前記エプロン部材に形成された前記凹状嵌合部又は前記凸状嵌合部は、前記エプロン部材の長手方向において連続して形成されており、前記浴室用機能部材が前記エプロン部材に取り付けられた状態において、前記浴槽本体のリムに面する前記浴室用機能部材の側面と前記浴槽本体のリムの側面との間には、空隙が形成されていることを特徴とする浴室設備である。
この浴室設備によれば、浴室用機能部材は、浴槽に保持されている。このことより、親子での入浴時において親とカウンターとの間に子供を配置させた際にも、親は、洗い場の側方に設置された浴槽、即ち、カウンターを正面にみた状態における左方向もしくは右方向にある浴槽、に保持された浴室用機能部材を利用して、子供の洗体行為を容易に行うことができる。即ち、浴槽に保持された浴室用機能部材であるシャワーヘッド保持部材に保持されるシャワーヘッドや、浴槽に保持された浴室用機能部材であるカウンター部材に載置されるせっけんや洗体用洗剤など、を利用して、子供の洗体行為を容易に行うことができる。したがって、親子での入浴時において、親が子供の洗体行為を行う際にも、浴室用機能部材の使い勝手が良い。
この浴室設備によれば、浴室用機能部材は、浴槽に対して着脱自在に保持される。このことより、使用者は浴室用機能部材を自由に着脱できるため、例えば親が単独で入浴する際など、浴室用機能部材を浴槽に保持する必要がない場合には、浴室用機能部材をエプロン部材から取り外すことで、浴槽への入浴する際に浴室用機能部材が浴槽へのアプローチを妨げることを防ぎ、その結果、浴槽への入浴のアプローチを容易にすることができる。言い換えると、使用者は、入浴シーンに合わせて、自由に、且つ、容易に浴室用機能部材を着脱できるため、使い勝手の良い浴室設備を使用することができる。
この浴室設備によれば、エプロン部材に形成された凹状嵌合部又は凸状嵌合部は、エプロン部材の長手方向において連続して形成されている。このことより、浴室用機能部材に形成された凸状嵌合部又は凹状嵌合部は、エプロン部材の長手方向において連続して形成された凹状嵌合部又は凸状嵌合部に、着脱自在に保持されるため、使用者は、凹状嵌合部及び凸状嵌合部の嵌合状態を解除し、浴室用機能部材をエプロン部材の長手方向に移動させ、再び凹状嵌合部及び凸状嵌合部を嵌合させることで、浴室用機能部材を使いやすい位置に自由に保持することができる。したがって、使用者は、さらに使い勝手の良い浴室設備を使用することができる。
また、このことより、浴室用機能部材は、エプロン部材に対して着脱自在に保持されることとなるため、通常のエプロン部材を凹状嵌合部又は凸状嵌合部が形成されたエプロン部材に取り替えるだけで、浴室用機能部材を使い勝手の良い浴槽に保持させることができる。
【０００９】
第３の発明は、第２の発明において、前記エプロン部材は、前記浴槽本体と別体で形成されており、前記エプロン部材は、前記浴槽本体のリムの側面よりも、前記洗い場側へ突出していることを特徴とする浴室設備である。
【００１０】
第４の発明は、第１乃至３の発明において、前記凸状嵌合部及び前記凹状嵌合部のいずれか一方には、前記凹状嵌合部と前記凸状嵌合部とを嵌合させた状態において前記凸状嵌合部と前記凹状嵌合部の内壁との間に配置され、前記凸状嵌合部の表面及び前記凹状嵌合部の内壁の表面より大きな摩擦抵抗を有する介在部材が設けられており、前記凹状嵌合部と前記凸状嵌合部とを嵌合させた状態において、前記浴室用機能部材の荷重が掛かると、前記凸状嵌合部と前記凹状嵌合部の内壁とが前記介在部材を介して当接し前記介在部材が前記凸状嵌合部及び前記凹状嵌合部の内壁に当接することによって、前記浴室用機能部材に外力が加わった際にも前記浴室用機能部材が前記エプロン部材に対して前記エプロン部材の長手方向への移動を阻害されるように保持され、前記浴室用機能部材の荷重を取り除くと、前記凸状嵌合部又は前記凹状嵌合部の内壁と前記介在部材との当接状態が解除されることによって、前記浴室用機能部材が前記エプロン部材に対して前記エプロン部材の長手方向への移動を阻害された状態が解除されることを特徴とする浴室設備である。
この浴室設備によれば、凹状嵌合部と凸状嵌合部とを嵌合させた状態において、浴室用機能部材の荷重が掛かると、凸状嵌合部と凹状嵌合部の内壁とが介在部材を介して当接し介在部材が凸状嵌合部及び凹状嵌合部の内壁に当接するため、例えば凸状嵌合部及び凹状嵌合部が水で濡れていた場合においても、浴室用機能部材に外力が加わることで浴室用機能部材がエプロン部材に対してエプロン部材の長手方向に移動してしまうことを介在部材の当接による摩擦力によって抑制でき、浴室用機能部材をエプロン部材に対してエプロン部材の長手方向に移動しづらくなるように保持することができる。よって、浴室用機能部材をより安定して使用することができる。
また、浴室用機能部材の荷重を取り除くだけで、凸状嵌合部又は凹状嵌合部の内壁と介在部材との当接状態を解除されることができ、浴室用機能部材のエプロン部材に対してエプロン部材の長手方向への移動を阻害された状態を解除できるため、例えば浴室用機能部材を持ち上げるだけで、浴室用機能部材をエプロン部材の長手方向に容易に移動可能とさせることができ、使用者はさらに使い勝手の良い浴室設備を使用することができる。
【発明の効果】
【００１２】
本発明の態様によれば、親子での入浴時において、親が子供の洗体行為を行う際にも、浴室用機能部材の使い勝手が良い浴室設備が提供される。
【図面の簡単な説明】
【００１３】
【図１】本発明の一実施形態に係る浴室内部を示す模式的斜視図である。
【図２】図１における親と子の入浴時の使い勝手を浴室上方から見た模式的平面図である。
【図３】図２におけるエプロン部材と浴室用機能部材の嵌合を示す模式的断面図である。
【図４】図３における浴室用機能部材に荷重が掛かった場合の嵌合を示す模式的断面図である。
【図５】図３における浴槽出入り時の使い勝手を浴室上方から見た模式的平面図である。
【図６】本発明の他の実施形態に係る浴槽出入り時の使い勝手を浴室上方から見た模式的平面図である。
【図７】本発明の一実施形態に係る入浴後の浴室内部を示す模式的斜視図である。
【図８】本発明の他の実施形態に係る浴槽出入り時の使い勝手を浴室上方から見た模式的平面図である。
【発明を実施するための形態】
【００１４】
以下、本発明の実施の形態について図面を参照しつつ説明する。なお、各図面中、同様の構成要素には同一の符号を付して詳細な説明は適宜省略する。  
【００１５】
図１に示すように、浴室１は、カウンター２と、水栓装置３と、浴槽５と、防水パン６と、洗い場７と、を備えている。水栓装置３は、例えば金属製の水栓本体（図示せず）を、例えば樹脂製のカバー（図示せず）で覆うことによって形成されている。浴槽５は、例えば繊維強化プラスチック（ＦＲＰ）で成形されており、浴室１に設置された内槽５Ａと、内槽５Ａから外方略水平に延出するフランジ５Ｂと、フランジ５Ｂから連続して垂下したリム５Ｃとを有する浴槽本体５Ｄと、リム５Ｃの下方に着脱自在に設置され浴槽本体５Ｄの洗い場７側前面を掩蔽するエプロン部材８と、を有している。カウンター２は、例えばＦＲＰで成形されている。防水パン６及び洗い場７は、例えば熱可塑性樹脂によって成形されている。洗い場７の表面は、例えば排水性向上及び滑り止めのための凹凸が形成されている。防水パン６は洗い場７に隣接して設けられており、この防水パン６には浴槽５が設置されている。１５は浴室１における洗い場７の前方の壁面であって、洗い場７の浴槽と反対側もしくは浴室１の壁面１５の反対側に浴室１の出入り口がある。
【００１６】
浴室１の壁面１５には水栓装置３が設置されたカウンター２が設置されている。水栓装置３には、可とう性のホースを通じて、例えば熱可塑性樹脂によって成形されたシャワーヘッド４Ａが接続されている。シャワーヘッド４Ａは壁面１５に設置された、例えば熱可塑性樹脂によって成形された壁側シャワーヘッド保持部材４Ｂに固定することができる。
【００１７】
エプロン部材８には、浴室用機能部材９である、例えば熱可塑性樹脂によって成形されたカウンター部材９Ａ、もしくは、シャワーヘッド保持部材９Ｂが取り付けられている。
カウンター部材９Ａは、洗体用洗剤１６を載せることができる面積を有している。このカウンター部材９Ａがエプロン部材８に取り付けられている状態において、カウンター部材９Ａの上面は、略水平である。このことより、カウンター部材９Ａに戴置される洗体用洗剤１６が倒れることを抑制できる。シャワーヘッド保持部材９Ｂにはシャワーヘッド４Ａを固定することができる。なお、このシャワーヘッド４Ａは、例えば湯水の出し止めを行なうことのできる機構を有しているものであっても良い。
【００１８】
図２に示すように、洗い場７での洗体において、水栓装置３を操作しやすくするため、水栓装置３を正面に見て風呂いす（図示せず）に座ることが多い。しかしながら、親子での入浴において、親１０が子供１１の洗体行為を行なう際に、親１０は子供１１を正面に見ながら洗体行為を行なう必要があり、その際には、親１０と水栓装置３との間に子供１１を配置させることとなる。この時、カウンター部材９Ａ及びシャワーヘッド保持部材９Ｂをエプロン部材８に取り付けることで親１０の側面に設けることができるため、カウンター部材９Ａに載っている洗体用洗剤１６もしくはシャワーヘッド保持部材９Ｂに固定されているシャワーヘッド４Ａを、姿勢を変えずに容易に使用できる。
【００１９】
図３に示すように、エプロン部材８は、凹状嵌合部１２が設けられており、カウンター部材９Ａにはエプロン部材８の凹状嵌合部１２に嵌合可能な凸状嵌合部１３が設けられており、凹状嵌合部１２と凸状嵌合部１３はそれぞれ着脱自在に接続されている。また、凹状嵌合部１２はエプロン部材８の長手方向において連続して形成されたレール形状であり、カウンター部材９Ａは長手方向のどの位置でも固定が可能である。また、カウンター部材９Ａの凸状嵌合部１３の上部には、エプロン部材８の凹状嵌合部１２の内壁との間に、弾性変形可能な弾性部材（介在部材）１４が設けられている。弾性部材１４は、例えばエラストマーで成形されている。弾性部材１４は、凸状嵌合部１３の表面及び凹状嵌合部１４の内壁の表面より大きな摩擦抵抗を有する。なお、図３は、カウンター部材９Ａをエプロン部材８に取り付ける際の図であって、カウンター部材９Ａの荷重が掛かっておらず、弾性部材１４は、凹状嵌合部１２と当接していない。
【００２０】
図４に示すように、凹状嵌合部１２と凸状嵌合部１３とを嵌合させた状態において、カウンター部材９Ａの荷重が掛かると、凸状嵌合部１３の上部と凹状嵌合部１２の内壁とが弾性部材１４を介して当接し、弾性部材１４が凸状嵌合部１３及び凹状嵌合部１２の内壁に密着することによって、浴室用機能部材９であるカウンター部材９Ａのエプロン部材８に対する固定状態が保持される。また、この状態において、カウンター部材９Ａの上方に洗体用洗剤１６などの重量物を戴置させることで、弾性部材１４がより凹状嵌合部１２の内壁に圧着され、より安定してカウンター部材９Ａをエプロン部材８に固定することができる。
また、このように、カウンター部材９Ａの荷重が掛かった際に、凸状嵌合部１３の上部と凹状嵌合部１２の内壁とが弾性部材１４を介して当接することによって、弾性部材１４が凸状嵌合部１３の上部と凹状嵌合部１２の内壁とに密着し、凸状嵌合部１３及び凹状嵌合部１２が水で濡れていた場合においても、カウンター部材９Ａのエプロン部材８に対する固定状態を安定して保つことができる。
【００２１】
カウンター部材９Ａがエプロン部材８に固定されている状態から、カウンター部材９Ａの荷重を取り除き、カウンター部材９Ａの先端側を持ち上げることで、カウンター部材９Ａのエプロン部材８に対する固定状態が解除される。このように固定状態を解除させた状態で、エプロン部材８の凹状嵌合部１２とカウンター部材９Ａの凸状嵌合部１３との嵌合を解除させることで、カウンター部材９Ａをエプロン部材８から取り外すことができる。
また、このように、カウンター部材９Ａの荷重を取り除くだけで、カウンター部材９Ａのエプロン部材８に対する固定状態を解除できるため、浴槽５に入浴中の使用者でも、容易にカウンター部材９Ａをエプロン部材８から着脱できる。
さらに、カウンター部材９Ａがエプロン部材８に固定されている状態から、カウンター部材９Ａの荷重を取り除く、即ち例えばカウンター部材９Ａの先端側を持ち上げることで、凹状嵌合部１２の内壁と弾性部材１４との当接状態を解除することによって、凹状嵌合部１２の内壁に対する弾性部材１４の当接状態を解除でき、その状態において、使用者は、カウンター部材９Ａの凸状嵌合部１３を、レール形状である凹状嵌合部１２の内部において長手方向に対して容易に摺動させることができる。このときの図は、図３である。
【００２２】
図３及び４では、カウンター部材９Ａにエプロン部材８の凹状嵌合部１２と嵌合可能な凸状嵌合部１３、及び、弾性変形可能な弾性部材１４が設けられたものについて説明したが、シャワーヘッド保持部材９Ｂや、後述するフック９Ｃについても、カウンター部材９Ａと同様に、凸状嵌合部１３、及び、弾性部材１４が設けられるものである。
【００２３】
図５に示すように、カウンター部材９Ａ及びシャワーヘッド保持部材９Ｂはエプロン部材８の幅方向における中央より水栓装置３が設置された壁面１５に近い部分に固定できる。よってカウンター部材９Ａ及びシャワーヘッド保持部材９Ｂをエプロン部材８に固定させた際にも、入浴者は、エプロン部材８の幅方向における中央より水栓装置３が設置された壁面１５に遠い部分を跨ぐことで、容易に浴槽５へ入ることができる。
【００２４】
図６に示すように、水栓装置３が設置されたカウンター２は浴槽５との間に空間が設けられており、カウンター部材９Ａは前記空間に移動させることで、浴槽５の長手方向の短い浴室空間においてもスペースを有効に使用できる。
【００２５】
図７に示すように、洗い場床７には浴槽５側長辺に排水口１８が設けられている。エプロン部材８の凹状嵌合部１２には、洗面器１７が掛けられる形状をもつフック９Ｃが取付けられており、入浴後、フック９Ｃへ洗面器１７を掛けておくことで、洗い場７やカウンター２との設置がなくなり、水や汚れ残りをなくすことができる。したがって、浴室１内で使用する洗面器１７を、入浴後浴室の洗い場７もしくはカウンター２に置くことでその設置面には水や汚れが残ることを抑制できるため、設置面の衛生状態の悪化を防ぎ、且つ、該設置面の掃除の手間も低減できる。
また、洗面器１７が掛けられたフック９Ｃは、排水口１８の鉛直上に位置させることができるため、洗面器１７に付着した水が排水口１８へ直接流れるため、洗い場７やカウンター２への残水がなく、掃除も容易となる。
【００２６】
なお、風呂いす（図示せず）においても、上述したような洗面器１７を洗い場７やカウンター２に直接設置する上での問題点と同様の課題が存在するが、風呂いすを掛けられるフックをエプロン部材８に設けることで、フック９Ｃをエプロン部材８に設けた場合と同様の効果が得られる。
【００２７】
図８は、本発明の他の実施形態に係る浴槽出入り時の使い勝手を浴室上方から見た模式的平面図である。図８の浴室１においては、浴室用機能部材９であるカウンター部材９Ａ及びシャワーヘッド保持部材９Ｂが、図示しない螺子によって、エプロン部材８の幅方向における中央より壁面１５に近い位置に固定されている。このことより、浴室用機能部材９をエプロン部材８に固定させた際にも、入浴者は、エプロン部材８の幅方向における中央より壁面から遠い位置を跨ぐことで、容易に浴槽５内へ入ることができる。なお、この実施形態においては、カウンター部材９Ａ及びシャワーヘッド保持部材９Ｂを螺子によってエプロン部材８に固定するものであったが、それに限らず、例えば接着剤などによって固定されるものであっても良い。
【００２８】
以上より、本発明の一実施形態によれば、浴室用機能部材９は、浴槽５のエプロン部材８に対して固定されている。このことより、親子での入浴時において親１０とカウンター２との間に子供１１を配置させた際にも、親１０は、浴槽５の前面に設けられたエプロン部材８、即ち、カウンター２を正面にみた状態における左方向もしくは右方向にある浴槽５のエプロン部材８、に固定された浴室用機能部材９、言い換えると、カウンター部材９Ａ又はシャワーヘッド保持部材９Ｂを利用して、子供１１の洗体行為を容易に行うことができる。したがって、親子での入浴時において、親１０が子供１１の洗体行為を行う際にも、浴室用機能部材９の使い勝手が良い。
【００２９】
以上、本発明の一実施形態について説明した。しかし、本発明はこれらの記述に限定されるものではない。
【００３０】
本発明の一実施形態において、浴室用機能部材９は、エプロン部材８と別体のものであったが、それに限らず、エプロン部材８と一体に形成されるものであっても良い。また、浴室用機能部材９とエプロン部材８とを、ネジやナットによって固定しても良い。さらに、浴室用機能部材９とエプロン部材８とを、接着剤などによって固定させても良い。
【００３１】
本発明の一実施形態において、壁面１５に設置されたカウンター２における浴槽５と反対側の端部と、洗い場７に設置された壁面１５に直行している壁面（図６でいう右側の壁面）と、の間に、カウンター部材９Ａが設置可能な空間を設ける構成であっても良い。この際、カウンター部材９Ａの凸状嵌合部１４と嵌合可能な凹状嵌合部１２を該壁面側に設けることで、カウンター部材９Ａを該壁面側に取り付けることができ、浴槽５の長手方向の短い浴室１においてもスペースを有効に使用できる。
【００３２】
本発明の一実施形態において、浴室用機能部材９及びエプロン部材８は互いに嵌合固定されるものであったが、それに限らず、面ファスナーなどによって、着脱自在に固定されても良い。
【００３３】
本発明の一実施形態において、エプロン部材８に凹状嵌合部１２を設けたが、エプロン部材８に凸状嵌合部１３を設けてもよい。この際、浴室用機能部材９に凹状嵌合部１２が設けられる。
【００３４】
本発明の一実施形態において、凸状嵌合部１３に弾性部材１４を設けたが、凹状嵌合部１２に弾性部材１４を設けてもよい。また、介在部は、弾性可能な弾性部材１４としたが、それに限らず、浴室用機能部材９に外力が加わった際に、浴室用機能部材９がエプロン部材８に対してエプロン部材８の長手方向への移動を阻害するように摩擦力を発揮するものであれば良い。
【００３５】
本発明の一実施形態において、エプロン部材８の凹状嵌合部１２はレール状に設けたが、部分的に凹状嵌合部１２を複数設けてもよい。即ち、エプロン部材８に形成された凹状嵌合部１２は、エプロン部材８の長手方向において部分的に連続して形成されていても良い。
【００３６】
前述の実施の形態に関して、当業者が適宜設計変更を加えたものも、本発明の特徴を備えている限り、本発明の範囲に包含される。例えば、浴室１が備える各要素の形状、寸法、材質、配置などや、浴室１の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００３７】
１ 浴室
２ カウンター
３ 水栓装置
４Ａ シャワーヘッド
４Ｂ 壁側シャワーヘッド保持部材
５ 浴槽
５Ａ 内槽
５Ｂ フランジ
５Ｃ リム
５Ｄ 浴槽本体
６ 防水パンの浴槽載置部
７ 洗い場、７Ａ 土手部
８ エプロン部材
９ 浴室用機能部材
９Ａ カウンター部材
９Ｂ シャワーヘッド保持部材  
９Ｃ フック
１０ 親（入浴者）
１１ 子供（入浴者）
１２ 凹状嵌合部
１３ 凸状嵌合部
１４ 弾性部材（介在部材）
１５ 壁面
１６ 洗体用洗剤
１７ 洗面器
１８ 排水口
【図１】
0006656573.tif 000002
【図２】
0006656573.tif 000003
【図３】
0006656573.tif 000004
【図４】
0006656573.tif 000005
【図５】
0006656573.tif 000006
【図６】
0006656573.tif 000007
【図７】
0006656573.tif 000008
【図８】
0006656573.tif 000009